(57)【要約】  第一の基地局と、前記第一の基地局と通信する第二の基地局と、前記第一の基地局と通信するユーザ装置とを有する無線通信システムにおいて前記第一の基地局として用いられる基地局であって、セルの初期設定に用いられる複数のパラメータを取得する取得部と、取得した前記複数のパラメータを用いてセルの設定を行う設定部と、を有する基地局を提供する。
2017164340.tif 000002
【特許請求の範囲】
【請求項１】
第一の基地局と、前記第一の基地局と通信する第二の基地局と、前記第一の基地局と通信するユーザ装置とを有する無線通信システムにおいて前記第一の基地局として用いられる基地局であって、
セルの初期設定に用いられる複数のパラメータを取得する取得部と、
取得した前記複数のパラメータを用いてセルの設定を行う設定部と、
を有する基地局。
【請求項２】
前記取得部は、当該基地局と前記第二の基地局との間でコネクションが確立される際、又は、前記セルの初期設定に用いられる複数のパラメータが更新される際に、前記複数のパラメータを取得する、請求項１に記載の基地局。
【請求項３】
前記取得部は、前記第二の基地局から所定のプロトコルで用いられるメッセージを用いて送信される前記複数のパラメータ、又は、管理システムからＯＡＭで用いられるメッセージを用いて送信される前記複数のパラメータを取得する、請求項１又は２に記載の基地局。
【請求項４】
前記複数のパラメータには、セルの中心周波数、帯域幅及び複信方式を示す情報と、物理セルＩＤと、ＭＩＢに関する情報と、ＳＩＢに関する情報と、最大送信電力とを含む、請求項１乃至３のいずれか一項に記載の基地局。
【請求項５】
第一の基地局と、前記第一の基地局と通信する第二の基地局と、前記第一の基地局と通信するユーザ装置とを有する無線通信システムにおいて前記第一の基地局として用いられる基地局が行うセル設定方法であって、
所定のトリガ発生時に、前記第二の基地局からセルの初期設定に用いられる複数のパラメータを取得するステップと、
取得した前記複数のパラメータを用いてセルの設定を行うステップと、
を有するセル設定方法。
【発明の詳細な説明】
【技術分野】
【０００１】
本発明は、基地局及びセル設定方法に関する。
【背景技術】
【０００２】
ＬＴＥ（Long Term Evolution）及びＬＴＥ−Ａ（LTE-Advanced）の無線通信システムにおいて、トラフィックの高いホットスポットのようなエリアを効率よくサポートするために、装置コストを抑えながら多数のセルを収容することが可能なＣ−ＲＡＮ（Centralized Radio Access Network）と呼ばれる技術が知られている。【０００３】
Ｃ−ＲＡＮは、リモート設置型の基地局である１又は複数のＲＵ（Radio Unit）と、ＲＵを集中制御する基地局であるＤＵ（Digital Unit）とから構成されている。ＤＵは、基地局が備えるレイヤ１〜レイヤ３までの機能を備えており、ＤＵで生成されたＯＦＤＭ（Orthogonal Frequency Division Multiplexing）信号は、サンプリングされてＲＵに伝送され、ＲＵが備えるＲＦ（Radio Frequency）機能部から送信される。
【先行技術文献】
【非特許文献】
【０００４】
【非特許文献１】"ドコモ５Ｇホワイトペーパー"、２０１４年９月、ＮＴＴドコモ、インターネットURL: https://www.nttdocomo.co.jp/corporate/technology/whitepaper_5g/
【発明の概要】
【発明が解決しようとする課題】
【０００５】
次に、５Ｇで検討されているＣ−ＲＡＮ構成について説明する。図１において、４Ｇ−ＤＵ及び４Ｇ−ＲＵは、ＬＴＥ−Ａの機能（ＬＴＥの機能を含む）を有するＤＵ及びＲＵを意味している。また、５Ｇ−ＤＵ及び５Ｇ−ＲＵは、第５世代の無線技術の機能を有するＤＵ及びＲＵを意味している。４Ｇ−ＤＵと５Ｇ−ＤＵとの間は、ＬＴＥにおけるＸ２−ＡＰ及びＸ２−Ｕインタフェースを拡張したインタフェースにより接続される。また、ＤＵとＲＵとの間をつなぐネットワーク回線はＦＨ（Front Haul）と呼ばれ、ＬＴＥではＦＨにＣＰＲＩ（Common Public Radio Interface）が用いられている。【０００６】
現在のＬＴＥでは、レイヤ１（物理レイヤ：Ｌ１）及びレイヤ２（ＭＡＣ、ＲＬＣ、ＰＤＣＰ）の機能はＤＵ側に実装される前提である。そのため、ＦＨに必要な帯域は、ＤＵでサポートされるピークレートの約１６倍になる。例えば、システム帯域が２０ＭＨｚであり、かつ、２×２ＭＩＭＯ（Multi Input Multi Output）の無線通信（最大１５０Ｍｂｐｓ）をＤＵがサポートする場合、ＦＨに必要な帯域は約２．４Ｇｂｐｓになる。【０００７】
現在検討が進められている５Ｇでは、１０Ｇｂｐｓ以上のピークレート及びさらなる低遅延化が実現される予定である。従って、５Ｇが導入されると、ピークレートの向上に伴いＦＨに必要な帯域も飛躍的に増大することになる。そこで、ＤＵに実装されているレイヤの一部をＲＵ側で実現することで、ＦＨで伝送される情報量を削減することが検討されている。どのレイヤの機能をＲＵ側で実現するのかについては様々なバリエーションが考えられるが、一例として、ＤＵが備えるレイヤ１の機能の全部又は一部をＲＵで実現する案や、レイヤ１及びレイヤ２の一部をＲＵ側で実現する案などが検討されている。【０００８】
ＤＵが備えるレイヤの機能の一部をＲＵ側で実現する場合、セルを設定する際に必要な情報を予めＲＵ側で保持しておく必要がある。しかしながら、現状、３ＧＰＰでは、セルを設定する際に必要な情報をＲＵ側に通知するためのインタフェースについては規定されていない。【０００９】
開示の技術は上記に鑑みてなされたものであって、Ｃ−ＲＡＮによる無線通信ネットワークにおいて、セルの設定に必要な情報をＲＵに通知することを可能にする技術を提供することを目的とする。
【課題を解決するための手段】
【００１０】
開示の技術の基地局は、第一の基地局と、前記第一の基地局と通信する第二の基地局と、前記第一の基地局と通信するユーザ装置とを有する無線通信システムにおいて前記第一の基地局として用いられる基地局であって、セルの初期設定に用いられる複数のパラメータを取得する取得部と、取得した前記複数のパラメータを用いてセルの設定を行う設定部と、を有する。
【発明の効果】
【００１１】
開示の技術によれば、Ｃ−ＲＡＮによる無線通信ネットワークにおいて、セルの設定に必要な情報をＲＵに通知することを可能にする技術が提供される。
【図面の簡単な説明】
【００１２】
【図１】５Ｇで検討されているＣ−ＲＡＮ構成例を示す図である。
【図２】実施の形態に係る無線通信システムのシステム構成例を示す図である。
【図３Ａ】実施の形態に係る無線通信システムが行う処理手順の一例を示すシーケンス図である。
【図３Ｂ】実施の形態に係る無線通信システムが行う処理手順の一例を示すシーケンス図である。
【図４】パラメータ情報の一例を示す図である。
【図５】実施の形態に係るＤＵの機能構成例を示す図である。
【図６】実施の形態に係るＲＵの機能構成例を示す図である。
【図７】実施の形態に係るＤＵのハードウェア構成例を示す図である。
【図８】実施の形態に係るＲＵのハードウェア構成例を示す図である。
【発明を実施するための形態】
【００１３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、特に断りが無い限り、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１４】
なお、「レイヤ１」と「物理レイヤ」とは同義である。また、レイヤ２には、ＭＡＣ（Medium Access Control）サブレイヤ、ＲＬＣ（Radio Link Control）サブレイヤ、ＰＤＣＰ（Packet Data Convergence Protocol）サブレイヤが含まれる。また、レイヤ３にはＲＲＣ（Radio Resource Control）レイヤが含まれる。
【００１５】
＜システム構成＞
図２は、実施の形態に係る無線通信システムのシステム構成例を示す図である。図２に示すように、本実施の形態に係る無線通信システムは、ＤＵ１とＲＵ２とＯＡＭ（Operation And Management）装置３とユーザ装置ＵＥとを含む。図２では、ＲＵ２が１つ図示されているが、２つ以上のＲＵ２が含まれていてもよい。つまり、ＤＵ１は複数のＲＵ２を制御するように構成されていてもよい。
【００１６】
ＤＵ１は、中央デジタルユニット（Central Digital Unit）と呼ばれてもよいし、ベースバンドユニット（ＢＢＵ：Base Band Unit）と呼ばれてもよいし、ＣＵ（Central Unit）と呼ばれてもよい。また、中央基地局と呼ばれてもよいし、単に基地局（ｅＮＢ：enhanced Node B）と呼ばれてもよい。
【００１７】
ＲＵ２は、リモート無線ユニット（ＲＲＵ：Remote Radio Unit）と呼ばれてもよいし、ＲＲＡ（Remote Antenna Unit）と呼ばれてもよいし、ＲＲＨ（Remote Radio Head）と呼ばれてもよい。また、リモート基地局と呼ばれてもよいし、単に基地局と呼ばれてもよい。ＤＵ１及びＲＵ２はＦＨで接続されており、ＦＨで用いられるプロトコルを用いて相互に通信を行う。
【００１８】
ＯＡＭ装置３は、ＤＵ１及びＲＵ２の監視及び制御を行う機能を有する。ＯＡＭ装置３が行う監視とは、例えば、異常の有無の監視及びトラフィック状況の監視等であり、ＯＡＭ装置３が行う制御とは、例えばＤＵ１及びＲＵ２の起動及び停止、ＤＵ１及びＲＵ２への各種設定データの送信及び設定、ＤＵ１及びＲＵ２に実装されている機能部の再起動、当該機能部の冗長構成の切替え等である。
【００１９】
本実施の形態に係る無線通信システムは、ＤＵ１及びＲＵ２の間でＦＨを介して所定の信号を送受信し、レイヤ１の機能の一部又は全部をＲＵ２で行う。本実施の形態に係る無線通信システムは、レイヤ１の一部のみをＲＵ２側で行う構成又はレイヤ１の全てをＲＵ２側で行う構成のいずれも含み得る。
【００２０】
＜処理手順＞
（処理シーケンスについて）
続いて、実施の形態に係る無線通信システムが行う具体的な処理手順について説明する。一般的なＣ−ＲＡＮでは、ＤＵ１の配下に複数のＲＵ２が接続されており、通信品質の状況やトラフィックの増加といった環境変化に基づき、ＤＵ１の配下に新たなＲＵ２を増設するといった運用が行われることになる。そのため、新たなＲＵ２の運用を開始する際には、ＲＵ２がレイヤ１の処理を行うために必要な各種のパラメータが当該ＲＵ２に予め設定されている必要がある。
【００２１】
図３Ａ、図３Ｂは、実施の形態に係る無線通信システムが行う処理手順の一例を示すシーケンス図である。図３Ａは、ＤＵ１からＲＵ２にパラメータ情報を通知する場合の処理手順の一例を示している。
【００２２】
まず、ＯＡＭ装置３からの指示又は運用者の操作等によりＲＵ２の起動が行われる（Ｓ１１）。続いて、ＲＵ２は、ＤＵ１との間でコネクションを確立する（つまり、ＣＰＲＩのリンクを確立する）（Ｓ１２）。続いて、ＤＵ１は、ＲＵ２との間でコネクションが確立されたことを検出し、ＲＵ２がレイヤ１の処理を行うために必要な各種のパラメータを含むパラメータ情報をＲＵ２に通知する（Ｓ１３）。なお、ＤＵ１は、パラメータ情報を、所定のプロトコルで用いられるメッセージを用いてＲＵ２に通知するようにしてもよい。所定のプロトコルで用いられるメッセージは、例えば、ＣＰＲＩで規定されているManagement and Control Protocolのメッセージでもよいし、５Ｇで新たに規定される可能性のある、従来のＸ２−ＡＰ（X2-Application Protocol）に相当するプロトコルのメッセージでもよい。
【００２３】
続いて、ＲＵ２は、通知されたパラメータ情報に含まれる各種のパラメータを用いてセルの設定（セルのセットアップ、又はセルの初期設定と呼んでもよい）を行う（Ｓ１４）。なお、セルの設定とは、通知された各種のパラメータをメモリ等に設定することで、各種のパラメータに従った無線通信をユーザ装置ＵＥとの間で行うことが可能な状態にすることを意図している。続いて、ＲＵ２は、メモリ等に設定された各種のパラメータに従って、報知情報（ＭＩＢ（Master Information Block）及びＳＩＢ（System Information Block））、同期信号及び参照信号の送信を開始する（Ｓ１５）。以上の処理手順が行われることで、ユーザ装置ＵＥは、ＲＵ２から送信される無線信号を検出することができ、ＲＵ２との間で無線通信を開始することが可能になる。
【００２４】
図３Ｂは、ＯＡＭ装置３からＲＵ２にパラメータ情報を通知する場合の処理手順の一例を示している。図３Ｂの例では、ＯＡＭ装置３からパラメータ情報がＲＵ２に通知される（Ｓ２２）。なお、ＯＡＭ装置３は、ＲＵ２から、ＲＵ２が起動した旨の通知を受けた際にパラメータ情報をＲＵ２に通知するようにしてもよいし、運用者の指示によりパラメータ情報をＲＵ２に通知するようにしてもよい。図３ＢのステップＳ２１、ステップＳ２３及びステップＳ２４の処理手順は、それぞれ図３ＡのステップＳ１１、ステップＳ１４及びステップＳ１５の処理手順と同一であるため説明は省略する。
【００２５】
なお、以上説明した処理シーケンスはＲＵ２の起動時を想定したものであるが、これに限られない。ＤＵ１及びＯＡＭ装置３は、パラメータ情報の更新（変更）が必要な場合に、ステップＳ１３及びステップＳ２２の処理手順により、更新（変更）されたパラメータ情報をＲＵ２に通知するようにしてもよい。この場合、ＲＵ２は、更新（変更）されたパラメータに従って再度セルの設定を行い（Ｓ１４、Ｓ２３）、更新（変更）されたパラメータに従って報知情報、同期信号及び参照信号の送信を行う（Ｓ１５、Ｓ２４）。
【００２６】
（パラメータ情報について）
ＤＵ１又はＯＡＭ装置３からＲＵ２に通知されるパラメータ情報の一例を図４に示す。「物理セルＩＤ」は、ＲＵ２がレイヤ１の処理を行う際に用いる物理セルＩＤ（ＰＣＩ：Physical layer Cell Identity）である。なお、「物理セルＩＤ」は、ＩＤの値（ＬＴＥでは０〜５０３までのいずれか１つの値）が具体的に指定されてもよいし、複数の要素に分けて指定されてもよい。例えば、ＬＴＥの物理セルＩＤの形式に準拠する場合、０〜１６７までの物理レイヤセルＩＤグループ（physical-layer cell-identity group）と、０〜２までの物理レイヤＩＤ（physical-layer identity）とに分けて通知されてもよい。これに限られず、物理セルＩＤは、どのような方法で通知されてもよい。
【００２７】
「周波数情報」は、ＲＵ２が送信すべき無線信号の周波数に関する情報である。「周波数情報」には、更に、「中心周波数（ＤＬ（Downlink）／ＵＬ（Uplink））」、「帯域幅」及び「複信方式」が含まれる。「中心周波数（ＤＬ／ＵＬ）」は、ＲＵ２が送信すべき無線信号（ＤＬ）及び受信すべき無線信号（ＵＬ）の中心周波数を示している。「帯域幅」は、ＲＵ２が送信すべき無線信号（ＤＬ）及び受信すべき無線信号（ＵＬ）の送信帯域を示している。「複信方式」は、ＲＵ２が無線通信に用いるべき複信方式（ＦＤＤ（Frequency Division Duplex）又はＴＤＤ（Time Division Duplex））を示している。ＲＵ２が無線通信に用いるべき複信方式がＴＤＤの場合、更に、「ＴＤＤ  Ｃｏｎｆｉｇ」がパラメータ情報に含まれる。なお、「中心周波数（ＤＬ／ＵＬ）」及び「複信方式」には、中心周波数（ＤＬ／ＵＬ）及び複信方式が具体的に指定されていてもよいし、「オペレーティングバンド（Operating Band）」及び「ＥＡＲＦＣＮ（E-UTRA Absolute Radio Frequency Channel Number）」で表現されてもよい。複信方式は、３ＧＰＰ仕様によりオペレーティングバンド毎に一意に固定されるため、ＲＵ２は、オペレーティングバンドから複信方式を把握することが可能である。また、ＤＬ及びＵＬの中心周波数は、３ＧＰＰ仕様（ＬＴＥでは、ＴＳ３６．１０４  ５．７．３章）に従い、オペレーティングバンド及びＥＡＲＦＣＮを所定の計算式に代入することで算出することが可能である。
【００２８】
「アンテナ数」は、ＲＵ２が備えるアンテナの数を示す。なお、ＲＵ２は、「アンテナ数」を自身で把握するようにしてもよい。この場合、パラメータ情報から「アンテナ数」は省略されてもよい。「最大送信電力」は、ＲＵ２に許容される最大送信電力（Ｐｍａｘｘ：Maximum total output power）を示す。
【００２９】
「ＭＩＢ情報」は、ＲＵ２からＭＩＢを送信する際に用いられる情報である。「ＭＩＢ情報」には、ＲＵ２が送信すべきＭＩＢの内容そのものが設定されていてもよいし、ＭＩＢに含まれる情報要素ごとの値が設定されていてもよい。
【００３０】
ＭＩＢに含まれる情報要素とは、例えば、「ＳＦＮ（System Frame Number）」、「Ｈ−ＳＦＮ（Hyper-SFN）」、「Ｐｈｉｃｈ−Ｃｏｎｆｉｇ」内のパラメータ、及び「ＤＬ帯域幅」である。「ＳＦＮ」には、ＭＩＢに設定されるＳＦＮの開始番号、又は、時刻とＳＦＮとの対応を示す情報が設定される。時刻とＳＦＮとの対応を示す情報は、例えばＳＦＮを他のセルと同期させる必要がある場合に設定されることを想定している。同様に、「Ｈ−ＳＦＮ」には、ＳＩＢ１に設定されるＨ−ＳＦＮの開始番号、又は、時刻とＨ−ＳＦＮとの対応を示す情報が設定される。時刻とＨ−ＳＦＮとの対応を示す情報は、例えばＨ−ＳＦＮを他のセルと同期させる必要がある場合に用いられることを想定している。なお、「ＳＦＮ」又は「Ｈ−ＳＦＮ」は省略されていてもよい。「ＳＦＮ」又は「Ｈ−ＳＦＮ」が省略される場合、ＲＵ２は、ＭＩＢに設定するＳＦＮ又はＨ−ＳＦＮを任意に決定するようにしてもよい。「Ｐｈｉｃｈ−Ｃｏｎｆｉｇ」内のパラメータとは、ＬＴＥの場合、ＰＨＩＣＨ期間（PHICH-Duration）及びＰＨＩＣＨリソース（PHICH-Resource）である。「ＤＬ帯域幅」は、上述の「周波数情報」における「帯域幅」から認識可能であるため省略されていてもよい。なお、「Ｈ−ＳＦＮ」は、ＭＩＢ情報ではなく、後述するシステム情報に含まれていてもよい。
【００３１】
「同期信号情報」は、ＲＵ２から送信すべき同期信号の系列（Sequence）を示す情報である。なお、パラメータ情報に含まれている各種のパラメータ（ＰＣＩ若しくはＰＣＩ及びアンテナ数など）を用いて同期信号の系列を生成可能である場合、パラメータ情報から「同期信号情報」は省略されていてもよい。
【００３２】
「システム情報」は、ＲＵ２から送信すべきＳＩＢ（ＬＴＥのリリース１３では、ＳＩＢ１（SIB Type1）〜ＳＩＢ２０（SIB Type20））の内容を示す情報である。「システム情報」には、ＲＵ２が送信すべきＳＩＢの内容そのものが設定されていてもよいし、ＳＩＢに含まれる情報要素ごとの値が設定されていてもよい。
【００３３】
「参照信号情報」は、ＲＵ２から送信すべき参照信号の系列を示す情報である。なお、ＬＴＥでは、セル内で固有の参照信号の系列はＰＣＩから生成可能であるため、パラメータ情報から「参照信号情報」は省略されていてもよい。
【００３４】
（報知情報、同期信号及び参照信号の送信について）
ＲＵ２は、図３ＡのステップＳ１５又は図３ＢステップＳ２４の処理手順で報知情報、同期信号及び参照信号を送信する際、以下に示すいずれかの方法に従って報知情報、同期信号及び参照信号を送信するようにしてもよい。
【００３５】
［報知情報（ＭＩＢ）の送信方法（その１）］
パラメータ情報の「ＭＩＢ情報」に、ＲＵ２が送信すべきＭＩＢの内容そのものが設定されている場合、ＲＵ２は、設定されている「ＭＩＢ情報」をそのまま送信するようにしてもよい。つまり、ＲＵ２が送信すべきＭＩＢは、ＤＵ１側又はＯＡＭ装置３側で生成されるようにしてもよい。なお、ＭＩＢに含まれるＳＦＮ（又はＳＦＮ及びＨ−ＳＦＮ）の値は、ＭＩＢを送信するタイミングに応じて変化する。従って、送信方法（その１）を用いる場合、ＲＵ２は、ＭＩＢに含まれるＳＦＮ（又はＳＦＮ及びＨ−ＳＦＮ）を、ＭＩＢを送信するタイミングに合わせて書き換えるようにする。
【００３６】
［報知情報（ＭＩＢ）の送信方法（その２）］
パラメータ情報の「ＭＩＢ情報」に、ＭＩＢに含まれる情報要素ごとの値が設定されている場合、ＲＵ２は、「ＭＩＢ情報」に基づいて送信すべきＭＩＢを生成し、生成したＭＩＢを送信するようにしてもよい。つまり、ＲＵ２が送信すべきＭＩＢは、ＲＵ２自身が生成するようにしてもよい。
【００３７】
［同期信号の送信方法（その１）］
パラメータ情報の「同期信号情報」に、ＲＵ２が送信すべき同期信号の系列そのものが設定されている場合、ＲＵ２は、設定されている系列をそのまま用いて同期信号を送信するようにしてもよい。つまり、ＲＵ２が送信すべき同期信号の系列は、ＤＵ１側又はＯＡＭ装置３側で生成されるようにしてもよい。
【００３８】
［同期信号の送信方法（その２）］
パラメータ情報の「同期信号情報」が省略されている場合、ＲＵ２は、送信すべき同期信号の系列を「ＰＣＩ」（若しくは「ＰＣＩ」及び「アンテナ数」等でもよい）に基づいて生成し、生成した系列を用いて同期信号を送信するようにしてもよい。つまり、ＲＵ２が送信すべき同期信号の系列は、ＲＵ２自身が生成するようにしてもよい。なお、ＬＴＥの場合、ＰＳＳ（Primary Synchronization Signal）に用いる系列は、ＰＣＩの一部である物理レイヤＩＤから生成することができ、ＳＳＳ（Secondary Synchronization Signal）に用いる系列は、ＰＣＩの一部である物理レイヤセルＩＤグループから生成することができる。
【００３９】
［報知情報（ＳＩＢ）の送信方法（その１）］
パラメータ情報の「ＳＩＢ情報」に、ＲＵ２が送信すべきＳＩＢの内容そのものが設定されている場合、ＲＵ２は、設定されている「ＳＩＢ情報」をそのまま送信するようにしてもよい。つまり、ＲＵ２が送信すべきＳＩＢは、ＤＵ１側又はＯＡＭ装置３側で生成されるようにしてもよい。
【００４０】
なお、送信方法（その１）を用いる場合、ＲＵ２は、セル設定（図３ＡのＳ１４又は図３ＢのＳ２３）に必要な情報を、ＳＩＢ情報から適宜取得するようにする。現状のＬＴＥでは、セル設定に必要な情報はＳＩＢ２内のRadioResourceConfigCommonSIBに含まれているが、本実施の形態では、これに限定されず、他のＳＩＢから取得するようにしてもよい。なお、RadioResourceConfigCommonSIBには、より具体的には、RACH-ConfigCommon、BCCH-Config、PCCH-Config、PRACH-ConfigSIB、PDSCH-ConfigCommon、PUSCH-ConfigCommon、PUCCH-ConfigCommon、SoundingRS-UL-ConfigCommon、UplinkPowerControlCommonが含まれている。
【００４１】
［報知情報（ＳＩＢ）の送信方法（その２）］
パラメータ情報の「ＳＩＢ情報」に、ＳＩＢに含まれる情報要素ごとの値が設定されている場合、ＲＵ２は、「ＳＩＢ情報」に基づいて送信すべきＳＩＢを生成し、生成したＳＩＢを送信するようにしてもよい。つまり、ＲＵ２が送信すべきＳＩＢは、ＲＵ２自身が生成するようにしてもよい。
【００４２】
なお、送信方法（その２）を用いる場合、パラメータ情報の「システム情報」には、セル設定に必要な情報と、ＲＵ２が個々の設定値を把握しておく必要がない情報（つまり、単にＳＩＢとして送信するのみである情報）とが別々に設定されていてもよい。
【００４３】
［参照信号の送信方法（その１）］
パラメータ情報の「参照信号情報」に、ＲＵ２が送信すべき参照信号の系列そのものが設定されている場合、ＲＵ２は、設定されている系列をそのまま用いて参照信号を送信するようにしてもよい。つまり、ＲＵ２が送信すべき参照信号の系列は、ＤＵ１側又はＯＡＭ装置３側で生成されるようにしてもよい。
【００４４】
［参照信号の送信方法（その２）］
パラメータ情報の「参照信号情報」が省略されている場合、ＲＵ２は、送信すべき同期信号の系列を「ＰＣＩ」に基づいて生成し、生成した系列を用いて参照信号を送信するようにしてもよい。つまり、ＲＵ２が送信すべき参照信号の系列は、ＲＵ２自身が生成するようにしてもよい。
【００４５】
＜機能構成＞
（ＤＵ）
図５は、実施の形態に係るＤＵの機能構成例を示す図である。図５に示すように、ＤＵ１は、ＲＵ間通信部１０１と、ＯＡＭ間通信部１０２と、通知部１０３と、記憶部１０４とを有する。なお、図５は、ＤＵ１において実施の形態に特に関連する機能部のみを示すものであり、少なくともＬＴＥ（５Ｇ含む）に準拠した動作を行うための図示しない機能も有するものである。また、図５に示す機能構成は一例に過ぎない。本実施の形態に係る動作を実行できるのであれば、機能区分や機能部の名称はどのようなものでもよい。ただし、これまでに説明したＤＵ１の処理の一部（例：特定の１つ又は複数の変形例、具体例のみ等）を実行可能としてもよい。
【００４６】
ＲＵ間通信部１０１は、ＤＵ１から送信されるべきデータに対して各レイヤの処理を行うことで信号を生成し、生成した信号を、ＦＨを介してＲＵ２に送信する機能を有する。また、ＲＵ間通信部１０１は、ＲＵ２からＦＨを介して信号を受信し、受信した信号に対して各レイヤの処理を行うことでデータを取得する機能を有する。ＲＵ間通信部１０１は、ＦＨで用いられる所定のプロトコルのインタフェースとしての機能を有する。ＯＡＭ間通信部１０２は、ＯＡＭ装置３と通信する機能を有する。
【００４７】
通知部１０３は、記憶部１０４に格納されているパラメータ情報を、ＲＵ間通信部１０１を介してＲＵ２に通知する機能を有する。記憶部１０４は、パラメータ情報をメモリ等に格納する。
【００４８】
（ＲＵ）
図６は、実施の形態に係るＲＵの機能構成例を示す図である。図６に示すように、ＲＵ２は、ＤＵ間通信部２０１と、ＵＥ間通信部２０２と、ＯＡＭ間通信部２０３と、取得部２０４と、設定部２０５と、記憶部２０６とを有する。なお、図６は、ＲＵ２において実施の形態に特に関連する機能部のみを示すものであり、少なくともＬＴＥ（５Ｇ含む）に準拠した動作を行うための図示しない機能も有するものである。また、図６に示す機能構成は一例に過ぎない。本実施の形態に係る動作を実行できるのであれば、機能区分や機能部の名称はどのようなものでもよい。ただし、これまでに説明したＲＵ１の処理の一部（例：特定の１つ又は複数の変形例、具体例のみ等）を実行可能としてもよい。
【００４９】
ＤＵ間通信部２０１は、ＤＵ１に送信すべき信号を、ＦＨを介してＤＵ１に送信する機能を有する。また、ＤＵ間通信部２０１は、ＤＵ１からＦＨを介して信号を受信する機能を有する。また、ＤＵ間通信部２０１は、ＦＨで用いられる所定のプロトコルのインタフェースとしての機能を有する。
【００５０】
ＵＥ間通信部２０２は、ＤＵ間通信部２０１を介してＤＵ１から受信したデータに対してレイヤ１の処理を行い、ユーザ装置ＵＥに送信する機能を有する。また、ＵＥ間通信部２０２は、ユーザ装置ＵＥから無線信号を受信し、受信した無線信号に対してレイヤ１の処理を行い、ＤＵ間通信部２０１に渡す機能を有する。ＯＡＭ間通信部２０３は、ＯＡＭ装置３と通信する機能を有する。
【００５１】
取得部２０４は、ＤＵ間通信部２０１を介して（又は、ＯＡＭ通信部２０３を介して）ＤＵ１から（又はＯＡＭ装置３から）パラメータ情報を取得する機能を有する。また、取得部２０４は、ＲＵ２とＤＵ１との間でコネクションが確立される際、又は、セルの設定に用いられる複数のパラメータが更新される際に、パラメータ情報を取得するようにしてもよい。
【００５２】
設定部２０５は、取得部２０４で取得されたパラメータ情報に含まれる各種のパラメータを用いてセルの設定を行う機能を有する。
【００５３】
以上説明したＤＵ１及びＲＵ２の機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００５４】
（ＤＵ）
図７は、実施の形態に係るＤＵのハードウェア構成例を示す図である。図７は、図５よりも実装例に近い構成を示している。図７に示すように、ＤＵ１は、ＲＵ２と接続するためのインタフェースであるＲＵ間ＩＦ３０１と、ベースバンド信号処理を行うＢＢ（Base Band）処理モジュール３０２と、上位レイヤ等の処理を行う装置制御モジュール３０３と、コアネットワークやＯＡＭ装置３等と接続するためのインタフェースである通信ＩＦ３０４とを有する。
【００５５】
ＲＵ間ＩＦ３０１は、ＤＵ１とＲＵ２との間を接続するＦＨの物理回線を接続する機能、ＦＨで用いられるプロトコルを終端する機能を有する。ＲＵ間ＩＦ３０１は、例えば、図５に示すＲＵ間通信部１０１の一部を含む。
【００５６】
ＢＢ処理モジュール３０２は、ＩＰパケットと、ＲＵ２との間で送受信される信号とを相互に変換する処理を行う。ＤＳＰ３１２は、ＢＢ処理モジュール３０２における信号処理を行うプロセッサである。メモリ３２２は、ＤＳＰ３１２のワークエリアとして使用される。ＢＢ処理モジュール３０２は、例えば、図５に示すＲＵ間通信部１０１の一部を含む。
【００５７】
装置制御モジュール３０３は、ＩＰレイヤのプロトコル処理、ＯＡＭ（Operation and Maintenance）処理等を行う。プロセッサ３１３は、装置制御モジュール３０３が行う処理を行うプロセッサである。メモリ３２３は、プロセッサ３１３のワークエリアとして使用される。補助記憶装置３３３は、例えばＨＤＤ等であり、ＤＵ１自身が動作するための各種設定情報等が格納される。装置制御モジュール３０３は、例えば、通知部１０３及び記憶部１０４を含む。通信ＩＦ３０４は、例えば、ＯＡＭ間通信部１０２を含む。
【００５８】
（ＲＵ）
図８は、実施の形態に係るＲＵのハードウェア構成例を示す図である。図８は、図６よりも実装例に近い構成を示している。図８に示すように、ＲＵ２は、無線信号に関する処理を行うＲＦ（Radio Frequency）モジュール４０１と、ベースバンド信号処理を行うＢＢ処理モジュール４０２と、装置制御モジュール４０３と、ＤＵ１と接続するためのインタフェースであるＤＵ間ＩＦ４０４と、ＯＡＭ装置３等と接続するためのインタフェースである通信ＩＦ４０５とを有する。
【００５９】
ＲＦモジュール４０１は、ＢＢ処理モジュール４０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール４０２に渡す。ＲＦモジュール４０１は、ＲＦ機能を含む。ＲＦモジュール４０１は、例えば、図６に示すＵＥ間通信部２０２の一部を含む。
【００６０】
ＢＢ処理モジュール４０２は、ＤＵ間ＩＦ４０４を介してＤＵ１と送受信される信号とデジタルベースバンド信号とを相互に変換する処理を行う。ＤＳＰ（Digital Signal Processor）４１２は、ＢＢ処理モジュール４０２における信号処理を行うプロセッサである。メモリ４２２は、ＤＳＰ４１２のワークエリアとして使用される。ＢＢ処理モジュール４０２は、例えば、図６に示すＵＥ間通信部２０２の一部、及び設定部２０５の一部を含む。
【００６１】
装置制御モジュール４０３は、ＲＵ２に関する各種の処理（ＯＡＭ処理等）を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、ＲＵ２自身が動作するための各種設定情報等が格納される。装置制御モジュール４０３は、例えば、取得部２０４、及び設定部２０５の一部を含む。
【００６２】
ＤＵ間ＩＦ４０４は、ＤＵ１とＲＵ２との間を接続するＦＨの物理回線を接続する機能、ＦＨで用いられるプロトコルを終端する機能を有する。ＤＵ間ＩＦ４０４は、例えば、図６に示すＤＵ間通信部２０１を含む。通信ＩＦ４０５は、例えば、ＯＡＭ間通信部２０３を含む。
【００６３】
＜まとめ＞
以上、実施の形態によれば、第一の基地局と、前記第一の基地局と通信する第二の基地局と、前記第一の基地局と通信するユーザ装置とを有する無線通信システムにおいて前記第一の基地局として用いられる基地局であって、セルの初期設定に用いられる複数のパラメータを取得する取得部と、取得した前記複数のパラメータを用いてセルの設定を行う設定部と、を有する基地局が提供される。これにより、Ｃ−ＲＡＮによる無線通信ネットワークにおいて、セルの設定に必要な情報をＲＵに通知することを可能にする技術が提供される。
【００６４】
また、前記取得部は、当該基地局と前記第二の基地局との間でコネクションが確立される際、又は、前記セルの初期設定に用いられる複数のパラメータが更新される際に、前記複数のパラメータを取得するようにしてもよい。これにより、ＲＵ２は、コネクション確立時に、セルの設定に必要なパラメータを取得することが可能になる。また、ＲＵ２は、更新されたパラメータを取得することが可能になる。
【００６５】
前記取得部は、前記第二の基地局から所定のプロトコルで用いられるメッセージを用いて送信される前記複数のパラメータ、又は、管理システムからＯＡＭで用いられるメッセージを用いて送信される前記複数のパラメータを取得するようにしてもよい。これにより、ＲＵ２は、様々なインタフェースを介して、セルの設定に必要なパラメータを取得することが可能になる。
【００６６】
また、前記複数のパラメータには、セルの中心周波数、帯域幅及び複信方式を示す情報と、物理セルＩＤと、ＭＩＢに関する情報と、ＳＩＢに関する情報と、最大送信電力とを含むようにしてもよい。これにより、ＲＵ２は、セルの設定を行うことが可能になると共に、取得したパラメータを用いて、報知情報、同期信号及び参照信号の送信を行うことが可能になる。
【００６７】
また、実施の形態によれば、第一の基地局と、前記第一の基地局と通信する第二の基地局と、前記第一の基地局と通信するユーザ装置とを有する無線通信システムにおいて前記第一の基地局として用いられる基地局が行うセル設定方法であって、所定のトリガ発生時に、前記第二の基地局からセルの初期設定に用いられる複数のパラメータを取得するステップと、取得した前記複数のパラメータを用いてセルの設定を行うステップと、を有するセル設定方法が提供される。これにより、Ｃ−ＲＡＮによる無線通信ネットワークにおいて、セルの設定に必要な情報をＲＵに通知することを可能にする技術が提供される。
【００６８】
＜実施形態の補足＞
参照信号はパイロット信号と呼ばれてもよい。
【００６９】
以上、本発明の実施の形態で説明する各装置（ＤＵ１／ＲＵ２）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７０】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ＤＵ１／ＲＵ２は機能的なブロック図を用いて説明されたが、そのような装置はハードウェアで、ソフトウェアで又はそれらの組み合わせで実現されてもよい。本発明の実施の形態に従ってＤＵ１が有するプロセッサにより動作するソフトウェア及び本発明の実施の形態に従ってＲＵ２が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７１】
なお、実施の形態において、ＲＵ２は第一の基地局の一例である。ＤＵ１は第二の基地局の一例である。
【００７２】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣシグナリング、ＭＡＣシグナリング、ブロードキャスト情報（ＭＩＢ（Master  Information  Block）、ＳＩＢ（System  Information  Block）））、その他の信号又はこれらの組み合わせによって実施されてもよい。また、ＲＲＣメッセージは、ＲＲＣシグナリングと呼ばれてもよい。また、ＲＲＣメッセージは、例えば、ＲＲＣ接続セットアップ（RRC Connection Setup）メッセージ、ＲＲＣ接続再構成（RRC Connection Reconfiguration）メッセージなどであってもよい。
【００７３】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７４】
判定又は判断は、１ビットで表される値（０か１か）によって行われてもよいし、真偽値（Boolean：trueまたはfalse）によって行われてもよいし、数値の比較（例えば、所定の値との比較）によって行われてもよい。
【００７５】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【００７６】
ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７７】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７８】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００７９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８０】
また、本明細書で説明した各態様／実施形態の処理手順、シーケンスなどは、矛盾の無い限り、順序を入れ替えてもよい。例えば、本明細書で説明した方法については、例示的な順序で様々なステップの要素を提示しており、提示した特定の順序に限定されない。
【００８１】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００８２】
所定の情報の通知（例えば、「Ｘであること」の通知）は、明示的に行うものに限られず、暗黙的（例えば、当該所定の情報の通知を行わない）ことによって行われてもよい。
【００８３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８４】
本発明は上記実施形態に限定されず、本発明の精神から逸脱することなく、様々な変形例、修正例、代替例、置換例等が本発明に包含される。
【００８５】
本特許出願は２０１６年３月２５日に出願した日本国特許出願第２０１６−０６２５７７号に基づきその優先権を主張するものであり、日本国特許出願第２０１６−０６２５７７号の全内容を本願に援用する。
【符号の説明】
【００８６】
１  ＤＵ
２  ＲＵ
３  ＯＡＭ装置
ＵＥ  ユーザ装置
１０１  ＲＵ間通信部
１０２  ＯＡＭ間通信部
１０３  通知部
１０４  記憶部
２０１  ＤＵ間通信部
２０２  ＵＥ間通信部
２０３  ＯＡＭ間通信部
２０４  取得部
２０５  設定部
２０６  記憶部
３０１  ＲＵ間ＩＦ
３０２  ＢＢ処理モジュール
３０３  装置制御モジュール
３０４  通信ＩＦ
４０１  ＲＦモジュール
４０２  ＢＢ処理モジュール
４０３  装置制御モジュール
４０４  ＤＵ間ＩＦ
４０５  通信ＩＦ
【図１】
2017164340.tif 000003
【図２】
2017164340.tif 000004
【図３Ａ】
2017164340.tif 000005
【図３Ｂ】
2017164340.tif 000006
【図４】
2017164340.tif 000007
【図５】
2017164340.tif 000008
【図６】
2017164340.tif 000009
【図７】
2017164340.tif 000010
【図８】
2017164340.tif 000011
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
第一の基地局と、前記第一の基地局と通信する第二の基地局と、前記第一の基地局と通信するユーザ装置とを有する無線通信システムにおいて前記第一の基地局として用いられる基地局であって、
セルの初期設定に用いられるパラメータであって、セルの中心周波数、帯域幅及び複信方式を示す情報と、物理セルＩＤと、ＭＩＢに関する情報と、ＳＩＢに関する情報と、最大送信電力とを含む複数のパラメータを取得する取得部
を有する基地局。
【請求項２】
前記取得部は、当該基地局と前記第二の基地局との間でコネクションが確立される際、前記複数のパラメータを取得する、請求項１に記載の基地局。
【請求項３】
前記取得部は、前記第二の基地局から所定のプロトコルで用いられるメッセージを用いて送信される前記複数のパラメータを取得する、請求項１又は２に記載の基地局。
【請求項４】
セルの初期設定に用いられる取得した前記複数のパラメータを用いてセルの設定を行う設定部を更に有する請求項１に記載の基地局。
【請求項５】
第一の基地局と、前記第一の基地局と通信する第二の基地局と、前記第一の基地局と通信するユーザ装置とを有する無線通信システムにおいて前記第一の基地局として用いられる基地局が行うセル設定方法であって、
セルの初期設定に用いられるパラメータであって、セルの中心周波数、帯域幅及び複信方式を示す情報と、物理セルＩＤと、ＭＩＢに関する情報と、ＳＩＢに関する情報と、最大送信電力とを含む複数のパラメータを取得するステップ
を有するセル設定方法。
【国際調査報告】
2017164340.tif 000012
2017164340.tif 000013
2017164340.tif 000014